(57)【要約】【課題】複数種類の床構えを簡単にしかも視覚的に分かり易く把握でき、建築主の要望や好みにあった床構えを備えた和室プランを容易かつ的確に提案することができる床構えの分類早見表を提供する。【解決手段】この分類早見表は、和室の主役である床構えを、例えば格式度が高くて自由度の低い床構えタイプ「真」と、格式度及び自由度が中位の床構えタイプ「行」と、格式度が低くて自由度が高い床構えタイプ「草」といったタイプに概念的にきっちりと分類して、各床構えタイプにおける床構えパターン図（１０）（１０）…、及び床構えの各要素の有無や種類をマトリックス状に記入するようになっている。【選択図】  図１
2004227498.tif 000002
【特許請求の範囲】
【請求項１】
二次元座標の一方の座標軸に沿って、格式度及び自由度に応じて分類した複数の床構えタイプを表示したタイプ表示欄を配置するとともに、他方の座標軸に沿って、床構えの各要素を表示した要素表示欄を配置した図表上に、タイプ表示欄に表示した各床構えタイプに対応させて、各床構えタイプにおける床構えパターン図をマトリクス状に記入するためのパターン図記入欄と、要素表示欄に表示した各要素に対応させて、パターン図記入欄に記入した各パターン図の床構えにおける各要素の有無や種類をマトリックス状に記入するための要素詳細記入欄とを設けたことを特徴とする床構えの分類早見表。
【請求項２】
タイプ表示欄に、格式度が高くて自由度の低い床構えタイプ「真」と、格式度及び自由度が中位の床構えタイプ「行」と、格式度が低くて自由度が高い床構えタイプ「草」の３つのタイプを表示した請求項１記載の床構えの分類早見表。
【請求項３】
各床構えタイプにおける床構えパターン図を、床構えのグレード毎に振り分けてパターン図記入欄に記入するようにした請求項１又は２記載の床構えの分類早見表。
【請求項４】
パターン図記入欄は、パターン図を予め記入してある既記入部と、パターン図を記入していない追加記入部とを備えている請求項１乃至３のいずれかに記載の床構えの分類早見表。
【請求項５】
パターン図記入欄は、各パターン図の床構えを備えた和室の参考価格を記入する価格記入部を備えている請求項１乃至４のいずれかに記載の床構えの分類早見表。
【請求項６】
要素表示欄に表示した各要素として、床形状、床柱、床の間の垂壁、書院、床脇の押入のうちの少なくとも１つを含む請求項１乃至５のいずれかに記載の床構えの分類早見表。
【発明の詳細な説明】
【０００１】
【発明の属する技術分野】
この発明は、主として床構えを備えた和室プランの構築に利用する床構えの分類早見表に関する。
【０００２】
【従来の技術】
設計者や建築会社が建築主に対して和室プランを提案する場合、床の間を中心とする床構えをどのようにするかは、重要な要素の１つである。しかしながら、従来においては、複数種類の床構えを簡単にしかも視覚的に分かり易く把握できる有効な資料がなかった。なお、住宅の内外装の設計や外構の設計を支援する資料としては、例えば特許文献１及び２にも開示されているように各種のものがある。
【０００３】
【特許文献１】特開平１０−１８１２５３号公報
【０００４】
【特許文献２】特許第２５４９４１９号公報
【０００５】
【発明が解決しようとする課題】
このため、従来においては、設計者や建築会社が建築主に対して床構えを備えた和室プランを提案する際に、数多くのカタログやパンフレットの中から建築主の要望や好みにあった床構えを選び出して、それを基に和室プランを提案していたが、この場合、和室プランの構築に多くの時間と労力を要し、また熟練度の低い若手の設計者や設計には素人の営業マン等では、建築主の要望や好みにあった床構えを的確に選び出すことができず、建築主が十分に満足する和室プランを提案することが困難であった。
【０００６】
そこで、この発明は、上記の不具合を解消して、複数種類の床構えを簡単にしかも視覚的に分かり易く把握でき、建築主の要望や好みにあった床構えを備えた和室プランを容易かつ的確に提案することができるようにした床構えの分類早見表の提供を目的とする。
【０００７】
【課題を解決するための手段】
上記の課題を解決するため、この発明の床構えの分類早見表は、二次元座標の一方の座標軸に沿って、格式度及び自由度に応じて分類した複数の床構えタイプを表示したタイプ表示欄を配置するとともに、他方の座標軸に沿って、床構えの各要素を表示した要素表示欄を配置した図表上に、タイプ表示欄に表示した各床構えタイプに対応させて、各床構えタイプにおける床構えパターン図をマトリクス状に記入するためのパターン図記入欄と、要素表示欄に表示した各要素に対応させて、パターン図記入欄に記入した各パターン図の床構えにおける各要素の有無や種類をマトリックス状に記入するための要素詳細記入欄とを設けたことを特徴とする。
【０００８】
具体的には、タイプ表示欄に、格式度が高くて自由度の低い床構えタイプ「真」と、格式度及び自由度が中位の床構えタイプ「行」と、格式度が低くて自由度が高い床構えタイプ「草」の３つのタイプを表示してある。また、各床構えタイプにおける床構えパターン図を、床構えのグレード毎に振り分けてパターン図記入欄に記入するようになっている。
【０００９】
さらに、パターン図記入欄は、パターン図を予め記入してある既記入部と、パターン図を記入していない追加記入部とを備えており、また各パターン図の床構えを備えた和室の参考価格を記入する価格記入部を備えている。
【００１０】
さらにまた、要素表示欄に表示した各要素として、床形状、床柱、床の間の垂壁、書院、床脇の押入のうちの少なくとも１つを含んでいる。
【００１１】
【発明の実施の形態】
以下、この発明の実施形態を図面に基づいて詳細に説明する。この発明の一実施形態に係る床構えの分類早見表は、図１乃至図４に示すように、二次元座標の一方の座標軸すなわち横軸に沿って、格式度及び自由度に応じて分類した複数の床構えタイプを表示したタイプ表示欄（１）を配置するとともに、他方の座標軸すなわち縦軸に沿って、床構えの各要素を表示した要素表示欄（２）を配置している。
【００１２】
タイプ表示欄（１）には、例えば左側から順に、格式度が高くて自由度の低い床構えタイプ「真」と、格式度及び自由度が中位の床構えタイプ「行」と、格式度が低くて自由度が高い床構えタイプ「草」の３つのタイプが表示されている。また、「真」「行」「草」の各タイプをそれぞれ簡潔に説明する見出し文が表示されている。さらに、タイプ表示欄（１）には、「真」「行」「草」の各タイプのグレードを２段階若しくは３段階で表示したグレード表示部（６）が設けられている。
【００１３】
ここで、「真」「行」「草」の各タイプについて具体的に説明すると、「真」のタイプとは、床の間と床脇と書院、若しくは、床の間と床脇で構成し、床の間、床脇、付書院がそれぞれ独立した構えをとることで、厳格な格式の高い構えとなるものである。「行」のタイプとは、書院を簡略化して、八掛けで床脇まで伸ばすことにより床の間と床脇との隔離をゆるめて一体感を持たせ、気品と落ち着きのある構えとなるものである。「草」のタイプとは、書院を明かり窓にまで簡略化して、床を床脇と連続して敷き込むことにより、床の間と床脇とを完全に一体化させて、自由度が高く個性の生きる構えとなるものである。
【００１４】
要素表示欄（２）には、上側から順に、「床形状」、「床柱」、「床の間の垂壁」、「書院」、「床脇の押入」の各要素が表示されている。また、「床の間の垂壁」は、「杉落し掛」、「八掛」、「クロス巻込」の３つの要素に分けられ、これら要素が合わせて表示されている。
【００１５】
そして、このように横軸に床構えの各タイプを、縦軸に床構えの各要素を表示した図表上には、各床構えタイプに対応させて、各床構えタイプにおける床構えパターン図（１０）（１０）…をマトリクス状に記入するためのパターン図記入欄（１１）と、各床構え要素に対応させて、パターン図記入欄（１１）に記入した各パターン図（１０）（１０）…の床構えにおける各要素の有無や種類をマトリックス状に記入するための要素詳細記入欄（１２）とが設けられている。
【００１６】
パターン図記入欄（１１）においては、各床構えタイプ別の床構えパターン図（１０）（１０）…を、さらにグレード毎に振り分けて記入するようになっており、パターン図（１０）（１０）…を予め記入してある既記入部（１５）（１５）…と、パターン図（１０）（１０）…を記入していない追加記入部（１６）（１６）…があり、追加記入部（１６）（１６）…には、新たに設計された床構えのパターン図（１０）（１０）…を追加して記入可能となっている。なお、パターン図（１０）は、和室の一部である床構えを正面から見た奥行きを持たせた姿図である。
【００１７】
また、パターン図記入欄（１１）の各既記入部（１５）（１５）…及び各追加記入部（１６）（１６）…には、そこに記入されるパターン図（１０）（１０）…の床構えを備えた和室の参考価格を記入する価格記入部（２０）（２０）…がそれぞれ設けられている。
【００１８】
要素詳細記入欄（１２）には、図２に示すように、例えば「真」の床構えタイプのうちハイグレード（ＨＧ）に振り分けられた床構えの各要素の詳細として、「床形状」については框床、「床柱」については角・杉絞丸太、「杉落し掛」については落掛、「書院」について付書院がそれぞれ記入されており、その他の要素については空欄となっている。また、「真」の床構えタイプのうちデラックス（ＤＸ）に振り分けられた床構えの各要素の詳細は、「書院」について付書院・平書院が記入されている以外は、ハイグレードの床構えと同じであり、さらに、「真」の床構えタイプのうちスタンダード（ＳＤ）に振り分けられた床構えの各要素の詳細は、「床形状」について框床・（角）蹴込床、「書院」について平書院・書院なしが記入されている以外は、ハイグレードの床構えと同じである。なお、「行」「草」の床構えタイプについても、図３及び図４に示すように、グレード毎に振り分けられた床構えについての各要素の詳細が要素詳細記入欄（１２）に記入されている。
【００１９】
この早見表において、「真」「行」「草」のタイプでは分類できない床構えについては、別欄を設けてその床構えパターン図を記入するようにしても良い。
【００２０】
上記の早見表は、図４に示すような「真」「行」「草」の各タイプの床構えを備えた和室プランを集めたプラン集（２１）の中から、建築主の要望や好みに合った和室プランを容易かつ的確に選び出すための検索ツールとして用いられ、プラン集（２１）と合わせて冊子の一部として使用しても良く、またプラン集（２１）とは別に単独で使用するようにしても良い。
【００２１】
このような早見表を用いることで、和室の主役である床構えをタイプ別、グレード別、要素別に簡単にしかも視覚的に分かり易く把握でき、設計者や建築会社が建築主に対して床構えを備えた和室プランを提案する際に、建築主の要望や好みにあった床構えを迅速かつ的確に選び出すことができる。そして、その選び出した床構えを備えた和室プランを、プラン集の中から捜し出すだけで、すべての和室プランに目を通さなくても、建築主が十分に満足する和室プランを提案することができる。
【００２２】
なお、この発明は、上記実施形態に限定されるものではなく、この発明の範囲内で上記実施形態に多くの修正及び変更を加え得ることは勿論である。
【００２３】
【発明の効果】
以上の説明から明らかなように、この発明の早見表では、和室の主役である床構えを、例えば格式度が高くて自由度の低い床構えタイプ「真」と、格式度及び自由度が中位の床構えタイプ「行」と、格式度が低くて自由度が高い床構えタイプ「草」といったタイプに概念的にきっちりと分類して、各床構えタイプにおける床構えパターン図、及び各床構えについての各要素の有無や種類を記入するようになっているので、漠然としていた床構えを簡単にしかも視覚的に分かり易く把握でき、これによって熟練度の低い若手の設計者や設計には素人の営業マン等であっても、複数種類の床構えの中から、建築主の要望や好みにあった床構えを素早く簡単に選び出して、建築主が十分に満足する和室プランを容易かつ的確に提案することができる。
【００２４】
また、床構えをグレード別に振り分けたり、床構えを備えた和室の参考価格を記入できるようにすることで、建築主に対してグレードやコストを踏まえたより適切な提案が可能となる。
【図面の簡単な説明】
【図１】この発明の一実施形態に係る床構えの分類早見表を示す図である。
【図２】同じくその「真」の床構えタイプについての記入部分の拡大図である。
【図３】同じくその「行」の床構えタイプについての記入部分の拡大図である。
【図４】同じくその「草」の床構えタイプについての記入部分の拡大図である。
【図５】複数種類の和室プランを、床構えタイプ別にまとめたプラン集を示す図である。
【符号の説明】
（１）  タイプ表示欄
（２）  要素表示欄
（１０）  床構えパターン図
（１１）  パターン図記入欄
（１２）  要素詳細記入欄
（１５）  既記入部
（１６）  追加記入部
（２０）  価格記入部
【図１】
2004227498.tif 000003
【図２】
2004227498.tif 000004
【図３】
2004227498.tif 000005
【図４】
2004227498.tif 000006
【図５】
2004227498.tif 000007